(57)【要約】【課題】  誘電体共振器１１〜１４が基板１に実装されて構成される共振モジュールで、例えば、複数の誘電体共振器を実装する配列を容易に把握することを可能とする。【解決手段】  共振周波数などの仕様を識別する印２１〜２４を表面に有する複数の誘電体共振器を基板に実装して構成した。複数の誘電体共振器のそれぞれの表面の印を、基板における複数の誘電体共振器の配列に対応したものとした。例えば、複数の誘電体共振器を並列に並べて基板に実装した状態において、複数の誘電体共振器のそれぞれの表面の印が全体として直線或いはほぼ直線を形成するようにした、或いは、複数の誘電体共振器のそれぞれの表面の印が、複数の誘電体共振器の並びの一方側から他方側へ向かって濃度が変化するものとした。【選択図】  図１
2005341193.tif 000002
【特許請求の範囲】
【請求項１】
誘電体共振器が基板に実装されて構成された共振モジュールにおいて、
仕様を識別する印を表面に有する誘電体共振器が基板に実装されて構成された、
ことを特徴とする共振モジュール。
【請求項２】
請求項１に記載の共振モジュールにおいて、
共振周波数を識別する印を表面に有する複数の誘電体共振器が基板に実装されて構成された、
ことを特徴とする共振モジュール。
【請求項３】
請求項２に記載の共振モジュールにおいて、
前記複数の誘電体共振器のそれぞれの表面の印が、前記基板における前記複数の誘電体共振器の配列に対応したものである、
ことを特徴とする共振モジュール。
【請求項４】
請求項３に記載の共振モジュールにおいて、
前記複数の誘電体共振器は、並列に並べられて前記基板に実装され、
前記複数の誘電体共振器が前記基板に実装された状態において、前記複数の誘電体共振器のそれぞれの表面の印が全体として直線或いはほぼ直線を形成する、
ことを特徴とする共振モジュール。
【請求項５】
請求項３に記載の共振モジュールにおいて、
前記複数の誘電体共振器は、並列に並べられて前記基板に実装され、
前記複数の誘電体共振器が前記基板に実装された状態において、前記複数の誘電体共振器のそれぞれの表面の印が、前記複数の誘電体共振器の並びの一方側から他方側へ向かって濃度が変化するものである、
ことを特徴とする共振モジュール。
【請求項６】
複数の共振周波数を有するアンテナ共用器において、
共振周波数を識別する印を表面に有する複数の誘電体共振器が基板に実装されて構成された、
ことを特徴とするアンテナ共用器。
【発明の詳細な説明】
【技術分野】
【０００１】
本発明は、誘電体共振器が基板に実装されて構成された共振モジュールなどに関し、特に、誘電体共振器の表面に共振周波数などの仕様を識別する印を有する共振モジュールなどに関する。
【背景技術】
【０００２】
例えば、誘電体共振器（ＲＥＳ）が基板に実装されて構成される共振モジュールが利用されており、このような共振モジュールを部品として用いてアンテナ共用器などが構成されている。
図３には、複数（本例では、４個）の誘電体共振器４１〜４４が部品実装基板３１に実装されて構成された共振モジュールの構造の一例を示してある。それぞれの誘電体共振器４１〜４４は、結合ピン４５〜４８を有している。
それぞれの誘電体共振器４１〜４４は、任意の比誘電率εｒを有する材料で形成されており、例えば、円筒又は直方体などの形状を有している。それぞれの誘電体共振器４１〜４４の長さＬは、比誘電率εｒと自己共振周波数ｆ０［Ｈｚ］を用いて式１により決定される。なお、本例では、図３に示されるように、誘電体共振器４１〜４４の形状である円筒又は直方体などの高さ（長い方の長さ）を当該誘電体共振器４１〜４４の長さとしている。
【０００３】
【数１】
2005341193.tif 000003
【０００４】
ここで、比誘電率εｒや自己共振周波数ｆ０が異なる組であっても、誘電体共振器の長さが同一或いはほぼ同一となることがある。
例えば、λ／４ＴＥＭ（Ｔｒａｎｓｖｅｒｓｅ  ＥｌｅｃｔｒｏＭａｇｎｅｔｉｃ）モードの誘電体共振器の場合、比誘電率εｒが９２であり自己共振周波数ｆ０が３９０ＭＨｚである誘電体共振器の長さＬと、比誘電率εｒが３７であり自己共振周波数ｆ０が６１５ＭＨｚである誘電体共振器の長さＬは、共に、約２０．０５ｍｍとなる。
このため、このような異なる２種類の誘電体共振器が同一の基板上に存在する場合には、形状や長さＬが同じであることから、一目で区別することが困難であり実際にはできなかった。
【０００５】
【特許文献１】特開平９−８５１３号公報
【発明の開示】
【発明が解決しようとする課題】
【０００６】
上述のように、従来の共振モジュールなどでは、数種類の仕様の誘電体共振器を同一の部品実装基板上に実装する場合には、特性は異なるが形状が同等であり且つ長さが同じ或いは近似している誘電体共振器を一目で区別することが非常に困難であったため、実装の間違いが起こり易いといった不具合があった。また、誘電体共振器を一目で区別することができない場合には、誘電体共振器の特性を測定することを再度行うなどして、再選別作業を行う必要があり、非常に効率が悪かった。
本発明は、このような従来の課題を解決するために為されたもので、誘電体共振器の表面に共振周波数などの仕様を識別する印を有して、例えば、誘電体共振器の仕様や、誘電体共振器を実装する位置や、複数の誘電体共振器を実装する配列を容易に把握することが可能な共振モジュールなどを提供することを目的とする。
【課題を解決するための手段】
【０００７】
上記目的を達成するため、本発明に係る共振モジュールでは、仕様を識別する印を表面に有する誘電体共振器を基板に実装して構成した。
従って、誘電体共振器の表面の印に基づいて、例えば、誘電体共振器の仕様や、誘電体共振器を実装する位置や、複数の誘電体共振器を実装する配列を容易に把握することができる。
【０００８】
ここで、誘電体共振器としては、種々なものが用いられてもよく、例えば、形状や特性などについて種々な仕様が用いられてもよい。
また、基板としては、種々なものが用いられてもよく、例えば、部品を実装するためのプリント基板などを用いることができる。
また、共振モジュールとしては、種々なものが用いられてもよく、また、共振モジュールを部品として種々なものが構成されてもよい。
また、誘電体共振器の仕様を識別する印としては、種々なものが用いられてもよく、例えば、インクなどにより色や文字や記号などを付けた印や、所定の形状を形成した印などを用いることができる。
また、印により識別する仕様としては、種々なものが用いられてもよく、例えば、誘電体共振器の共振周波数や、誘電体共振器の長さや、誘電体共振器の他の性能や、誘電体共振器の実装位置などを識別することが可能である。
また、印が設けられる誘電体共振器の面（表面）としては、種々な面が用いられてもよく、好ましい態様例として、基板に実装されて接触される面に対して反対側となる面を用いることができ、つまり、誘電体共振器が実装される或いは実装された基板を上から見たときに見易い面を用いることができる。
【０００９】
本発明に係る共振モジュールでは、一構成例として、共振周波数を識別する印を表面に有する複数の誘電体共振器を基板に実装して構成した。
従って、複数の誘電体共振器の表面の印に基づいて、例えば、それぞれの誘電体共振器の仕様や、それぞれの誘電体共振器を実装する位置や、複数の誘電体共振器を実装する全体的な配列を容易に把握することができる。例えば、共振周波数が少しだけ異なっていて長さが少しだけ異なっているが見た目が近似しているような複数の誘電体共振器が同一の基板に実装されるような場合においても、これらの誘電体共振器を識別することができる。
ここで、複数の誘電体共振器の数としては、種々な数が用いられてもよい。
【００１０】
本発明に係る共振モジュールでは、一構成例として、前記複数の誘電体共振器のそれぞれの表面の印を、前記基板における前記複数の誘電体共振器の配列に対応したものとした。
従って、複数の誘電体共振器の表面の印が基板における誘電体共振器の配列に対応するため、誘電体共振器の表面の印に基づいて、複数の誘電体共振器の配列を容易に把握することができる。
ここで、基板における複数の誘電体共振器の配列に対応した印としては、種々なものが用いられてもよく、例えば、正しい配列が為されたときに全体として統一性を有するような印の群を用いることができる。
【００１１】
本発明に係る共振モジュールでは、一構成例として、次のような構成とした。
すなわち、前記複数の誘電体共振器を、並列に並べて前記基板に実装した。また、前記複数の誘電体共振器を前記基板に実装した状態において、前記複数の誘電体共振器のそれぞれの表面の印が全体として直線或いはほぼ直線を形成するようにした。
従って、基板上に並べられた複数の誘電体共振器の表面の印が全体として直線或いはほぼ直線として見えるため、これに基づいて、複数の誘電体共振器の配列を容易に把握することができる。
【００１２】
本発明に係る共振モジュールでは、一構成例として、前記複数の誘電体共振器を、並列に並べて前記基板に実装した。また、前記複数の誘電体共振器を前記基板に実装した状態において、前記複数の誘電体共振器のそれぞれの表面の印が、前記複数の誘電体共振器の並びの一方側から他方側へ向かって濃度が変化するものとした。
従って、基板上に並べられた複数の誘電体共振器の表面の印の濃度が全体として一方向に向かって変化して見えるため、これに基づいて、複数の誘電体共振器の配列を容易に把握することができる。
【００１３】
また、本発明に係る共振モジュールでは、例えば、当該共振モジュールが製造される工程において、誘電体共振器や基板が溶剤で洗浄される処理が行われる。
一構成例として、誘電体共振器の表面の印は、洗浄処理において除去される態様で設けられ、例えば、除去されるインクを用いる態様を用いることができる。この場合、洗浄処理の後には、印を消すことができる。
他の構成例として、誘電体共振器の表面の印は、洗浄処理において除去されない態様で設けられ、例えば、除去されないインクを用いる態様や、形状による印を用いる態様などを用いることができる。この場合、洗浄処理の後においても、印を残すことができる。
【００１４】
また、共振モジュール或いは同様な構成をアンテナ共用器などの種々な機器に適用することが可能である。
一例として、本発明に係るアンテナ共用器では、複数の共振周波数を有するものであり、共振周波数を識別する印を表面に有する複数の誘電体共振器を基板に実装して構成した。
従って、複数の誘電体共振器の表面の印に基づいて、例えば、それぞれの誘電体共振器の仕様や、それぞれの誘電体共振器を実装する位置や、複数の誘電体共振器を実装する全体的な配列を容易に把握することができる。
ここで、アンテナ共用器が有する複数の共振周波数としては、種々な周波数が用いられてもよい。
【００１５】
一構成例として、アンテナ共用器は、無線通信装置に備えられ、アンテナを介して送信される周波数の信号と、受信される周波数の信号を選択する。ここで、送信周波数と受信周波数は異なるため、送信周波数に対する受信周波数の選択性及び受信周波数に対する送信周波数の選択性が非常に高く、送信時には受信周波数の減衰量は非常に大きくなり、また、受信時には送信周波数の減衰量は非常に大きくなるような機能を有する。この送信周波数と受信周波数の選択は自動的に行えるようなフィルタ特性を有している。
なお、図４には、横軸が周波数を示して縦軸が減衰量を示すグラフを示してあり、送信側（Ｔｘ）からアンテナ（ＡＮＴ）への特性の一例と、アンテナ（ＡＮＴ）から受信側（Ｒｘ）への特性の一例を示してある。
ここで、アンテナ共用器における共振周波数の切替は、例えば、通信状況や外部からの指示信号などに基づいて行われてもよく、或いは、人による操作により入力される指示に基づいて行われてもよい。
また、無線通信装置としては、アンテナを用いて無線により通信する種々な装置が用いられてもよい。
一構成例として、アンテナの共振周波数を複数の周波数の中から切り替える。例えば、共振周波数がそれぞれ異なる複数の誘電体共振器の中から通信に使用する誘電体共振器を切り替えることにより、アンテナの共振周波数を通信に使用する誘電体共振器の共振周波数に対応した周波数へ切り替える。
【発明の効果】
【００１６】
以上説明したように、本発明に係る共振モジュールなどによると、仕様を識別する印を表面に有する誘電体共振器を基板に実装して構成したため、誘電体共振器の表面の印に基づいて、例えば、誘電体共振器の仕様や、誘電体共振器を実装する位置や、複数の誘電体共振器を実装する配列を容易に把握することができる。
【発明を実施するための最良の形態】
【００１７】
本発明に係る実施例を図面を参照して説明する。
図１には、本発明の一実施例に係る共振モジュールの構造の一例を示してある。
本例の共振モジュールは、例えばプリント基板などの基板である部品実装基板１と、複数（本例では、４個）の誘電体共振器（第１〜第４の誘電体共振器）１１〜１４を備えている。
それぞれの誘電体共振器１１〜１４は、部品実装基板１の上におけるそれぞれに対応した実装位置２〜５に実装されており、本例では、複数の誘電体共振器１１〜１４が部品実装基板１上で並列に並べられている。また、それぞれの誘電体共振器１１〜１４は、結合ピン１５〜１８を有している。
また、それぞれの誘電体共振器１１〜１４は、それぞれの表面にマーク部（印部）２１〜２４を有している。本例では、図１に示されるように、誘電体共振器１１〜１４が部品実装基板１に実装された場合に当該部品実装基板１と接触する面に対して反対側の面を表面とする。つまり、マーク部２１〜２４を形成する誘電体共振器１１〜１４の面として、誘電体共振器１１〜１４の実装面に対して対向する面を用いている。
【００１８】
まず、それぞれの誘電体共振器１１〜１４の表面に設けられたマーク部２１〜２４について説明する。
本例では、それぞれの誘電体共振器１１〜１４は、それぞれ仕様が異なっており、具体的には、それぞれ長さが少し異なっていて、それぞれ共振周波数（自己共振周波数）が異なっている。
また、それぞれの誘電体共振器１１〜１４の表面には、それぞれ異なるマーク部２１〜２４が設けられており、具体的には、例えば、第１の誘電体共振器１１の表面には第１の印として赤色のマーク部２１が形成されており、第２の誘電体共振器１２の表面には第２の印として青色のマーク部２２が形成されており、第３の誘電体共振器１３の表面には第３の印として緑色のマーク部２３が形成されており、第４の誘電体共振器１４の表面には第４の印として黒色のマーク部２４が形成されている。
【００１９】
本例のように、それぞれの誘電体共振器１１〜１４の表面に形成されるマーク部２１〜２４を互いに異ならせて視覚的に区別することを可能とすると、人などがマーク部２１〜２４を見ることにより、それぞれの誘電体共振器１１〜１４の仕様の区別を一目で判断することが可能となる。
ここで、それぞれのマーク部２１〜２４の材質や形状などとしては、任意なものが用いられてもよい。本例では、それぞれのマーク部２１〜２４を丸或いは楕円の形状で形成してあり、色は油性のインク（例えば、油性のマジック（登録商標）のようなもの）或いは洗浄工程で使用される溶剤に対する耐溶剤性塗料を用いて付けられている。
【００２０】
次に、本例のようなマーク部２１〜２４を有する複数の誘電体共振器１１〜１４を同一の部品実装基板１に実装することについて説明する。
それぞれ異なるマーク部２１〜２４が表面に形成されている複数の誘電体共振器１１〜１４を同一の部品実装基板１の上に実装する場合には、実装の際や実装の後に、それぞれのマーク部２１〜２４を見ることにより、部品実装基板１の正規の位置（それぞれの実装位置２〜５）に正規の仕様の誘電体共振器１１〜１４が実装されているかを一目で確認することができる。
本例では、部品実装基板上の正規の位置に正規の仕様の誘電体共振器を実装する例として、第１の誘電体共振器１１を部品実装基板１上の第１の実装位置２に実装しており、第２の誘電体共振器１２を部品実装基板１上の第２の実装位置３に実装しており、第３の誘電体共振器１３を部品実装基板１上の第３の実装位置４に実装しており、第４の誘電体共振器１４を部品実装基板１上の第４の実装位置５に実装している。
【００２１】
本例の場合には、部品実装基板１上に実装された複数の誘電体共振器１１〜１４の表面に形成されたマーク部２１〜２４の色が、図１における左から右への順番で、「赤色、青色、緑色、黒色」の順の配置となっている。これに対して、例えば、第１の誘電体共振器１１が第２の実装位置３に実装されて、第２の誘電体共振器１２が第１の実装位置２に実装されて、第３の誘電体共振器１３が第４の実装位置５に実装されて、第４の誘電体共振器１４が第３の実装位置４に実装された場合には、同様な順番では、「青色、赤色、黒色、緑色」の順の配置となる。
このように、複数の誘電体共振器１１〜１４を部品実装基板１上に所定の配列で並べた配置で実装する場合に、複数の誘電体共振器１１〜１４のマーク部２１〜２４の配列によってこれら複数の誘電体共振器１１〜１４の配列が区別されるため、視覚的に一目で正規の実装位置と実際の実装位置との相違を判断することが可能となる。
【００２２】
次に、共振モジュールの製造工程における誘電体共振器１１〜１４のマーク部２１〜２４について説明する。
一般的な部品実装基板への実装工程では、部品を実装した際に付着するはんだフラックス及び不要物を除去するために洗浄工程を実施する。
通常の洗浄工程では、油性インクの組成が分解される成分で構成された溶剤に部品実装基板及び誘電体共振器を浸漬させるため、油性インクで形成されたマーク部２１〜２４の色は除去される。この場合、製造工程を完了する段階では、洗浄工程を行う前に存在したそれぞれの誘電体共振器１１〜１４の表面に形成されていたマーク部２１〜２４の色は消滅することとなる。
一例として、共振周波数により決定されるそれぞれの誘電体共振器１１〜１４の長さに応じて識別可能な固有のマーク部２１〜２４を設けた状態で、誘電体共振器１１〜１４を部品実装基板１に取り付けて、誘電体共振器１１〜１４の配置を確認し、その後、それぞれの誘電体共振器１１〜１４の端子側電極の削除などによる周波数調整を行ってから、洗浄ラインを通すことによりマーク部２１〜２４のインクを溶かして消すことができる。
【００２３】
一方、誘電体共振器１１〜１４のマーク部２１〜２４の色を形成する材質として、洗浄工程では除去されない任意の材質を用いると、製造工程が完了した段階及びその後においても、誘電体共振器１１〜１４に形成されたマーク部２１〜２４の色が残るため、製造工程完了後においても、誘電体共振器１１〜１４の仕様と部品実装基板１への実装位置２〜５とを照合することなどが容易となる。なお、洗浄工程では除去されない任意の材質としては、例えば、洗浄工程では除去されない耐溶剤性塗料などを用いることができる。
【００２４】
次に、誘電体共振器１１〜１４の表面に形成されるマーク部２１〜２４の種々な例を示す。
上記では、誘電体共振器１１〜１４の仕様を異なる色のマーク（印）で区別する場合について述べたが、誘電体共振器１１〜１４の仕様を区別することが可能な識別印であれば、任意なものが用いられてもよい。
図２（ａ）〜（ｇ）には、マーク部２１〜２４として使用することが可能な識別印の例を示してある。
図２（ａ）の例では、上記と同様に、誘電体共振器１１〜１４のマーク部２１〜２４として異なる色を持つ組を用いる。具体例として、第１のマーク部２１を「赤色」で形成し、第２のマーク部２２を「青色」で形成し、第３のマーク部２３を「緑色」で形成し、第４のマーク部２４を「黒色」で形成する。なお、５個以上の誘電体共振器が用いられる場合には、更にマーク部の色の種類を増加させる。
【００２５】
図２（ｂ）の例では、誘電体共振器１１〜１４のマーク部２１〜２４として異なる記号を持つ組を用いる。具体例として、第１のマーク部２１に図示のような丸印を形成し、第２のマーク部２２に図示のような三角印を形成し、第３のマーク部２３に図示のような四角印を形成し、第４のマーク部２４に図示のような星印を形成する。なお、５個以上の誘電体共振器が用いられる場合には、更にマーク部の記号の種類を増加させる。
図２（ｃ）の例では、誘電体共振器１１〜１４のマーク部２１〜２４として異なる数字を持つ組を用いる。具体例として、第１のマーク部２１に「１」を形成し、第２のマーク部２２に「２」を形成し、第３のマーク部２３に「３」を形成し、第４のマーク部２４に「４」を形成する。なお、５個以上の誘電体共振器が用いられる場合には、更にマーク部の数字の種類を増加させる。
【００２６】
図２（ｄ）の例では、誘電体共振器１１〜１４のマーク部２１〜２４として異なる位置に直線を持つ組を用いる。具体例として、第１のマーク部２１、第２のマーク部２２、第３のマーク部２３、第４のマーク部２４の順に直線の形成位置が一方向（図示の例では、誘電体共振器の長さ方向で上から下への方向）に向かって変化していくように形成する。なお、５個以上の誘電体共振器が用いられる場合には、更にマーク部の直線の位置の種類を増加させて、直線を順序立てる。
図２（ｅ）の例では、誘電体共振器１１〜１４のマーク部２１〜２４として異なる位置に直線を持ち且つ全てのマーク部２１〜２４の直線が並べられると一直線或いはほぼ一直線となる組を用いる。具体例として、第１のマーク部２１、第２のマーク部２２、第３のマーク部２３、第４のマーク部２４の順に直線の形成位置が一方向（図示の例では、誘電体共振器の長さ方向で上から下への方向）に向かって変化していき、誘電体共振器の長さ方向に対して斜め方向に一直線を形成する。なお、５個以上の誘電体共振器が用いられる場合には、更にマーク部の直線の位置の種類を増加させて、直線を順序立てる。
【００２７】
図２（ｆ）の例では、誘電体共振器１１〜１４のマーク部２１〜２４として異なる線の密度を持つ組を用いる。具体例として、第１のマーク部２１、第２のマーク部２２、第３のマーク部２３、第４のマーク部２４の順に斜線の密度（線と線との間隔）が変化していく（本例では、密度が小さくなっていく）ように形成する。なお、５個以上の誘電体共振器が用いられる場合には、更にマーク部の線密度の種類を増加させる。
図２（ｇ）の例では、誘電体共振器１１〜１４のマーク部２１〜２４として異なる濃度を持つ組を用いる。具体例として、第１のマーク部２１、第２のマーク部２２、第３のマーク部２３、第４のマーク部２４の順に濃度（色の濃さ）が変化していく（本例では、濃度が薄くなっていく）ように形成する。なお、５個以上の誘電体共振器が用いられる場合には、更にマーク部の濃度の種類を増加させて、濃淡を順序立てる。
【００２８】
なお、マーク部２１〜２４の識別印を洗浄工程では除去されない任意の材質で形成した場合においても、図２（ａ）〜（ｇ）に示されるように誘電体共振器の仕様に係る周波数などの数値をそのまま示すものではない色や記号などをマーク部２１〜２４として使用すると、マークの種類と仕様との対応付けを知らない第三者には誘電体共振器の仕様が分からないため、第三者に誘電体共振器の仕様を知られたくないときに非常に有効である。
【００２９】
以上のように、本例の共振モジュールでは、誘電体共振器１１〜１４を部品実装基板１に実装する構成において、誘電体共振器１１〜１４の表面に、任意のマークを有する。本例では、当該マークは、誘電体共振器１１〜１４の共振周波数を識別し、また、当該マークは、誘電体共振器１１〜１４の実装面に対して対向する面（表面）に形成される。
また、本例の共振モジュールでは、複数の誘電体共振器１１〜１４を部品実装基板１に実装する構成を有しており、複数の誘電体共振器１１〜１４の各々の表面に、共振周波数を識別する任意のマークを有する。
また、本例の共振モジュールでは、誘電体共振器１１〜１４の表面に形成されるマークは、製造者の都合に応じて、部品実装基板１への実装工程で実施される洗浄工程において除去される材質或いは除去されない材質で形成される。
【００３０】
また、本例の共振モジュールでは、複数の誘電体共振器１１〜１４を部品実装基板１に実装する構成において、誘電体共振器１１〜１４の各々の表面にマークを設ける態様として、例えば、誘電体共振器１１〜１４を部品実装基板１に実装した状態において配列される複数のマークが順序立てて視認されるような態様を用いる。
また、本例の共振モジュールでは、順序立てて視認されるマークとして、例えば、複数の誘電体共振器１１〜１４に渡ってほぼ直線を為すように順序立てるものや、複数の誘電体共振器１１〜１４に渡ってマークの濃淡が左右何れかより変化していくように順序立てるものなどを用いる。
なお、マークとしては、例えば、色や記号などを示すインクを塗布したものや、所定の形状を形作ったものや、目印を刻印したものなど、種々なものが用いられてもよい。
【００３１】
従って、本例の共振モジュールでは、誘電体共振器１１〜１４の表面に任意の識別印を形成することにより、同等形状の仕様の異なる誘電体共振器１１〜１４が同一の部品実装基板１に複数存在するような場合においても、各誘電体共振器１１〜１４を一目で区別することが可能である。また、部品実装基板１上に配列される複数の誘電体共振器１１〜１４のマークの配列を視覚的に順序立てることにより、これら複数の誘電体共振器１１〜１４の全体的な配列が正しいかどうかを一目で判断することが可能である。こうしたことから、数種類の誘電体共振器１１〜１４を同一の部品実装基板１上に実装する際やその後において、実装位置の間違いが発生する頻度や実装位置の間違いが放置される頻度を低減することができ、製造工程や製造物（本例では、共振モジュール）の信頼性を向上させることができる。
【００３２】
また、本例の共振モジュールでは、誘電体共振器１１〜１４の表面のマーク部２１〜２４を洗浄工程において除去される材質で形成する場合には、例えば、このようなマークを有さない従来と比べて、最終的な製造物の外観を変えることなく製作を行うことが可能である。
また、本例の共振モジュールでは、誘電体共振器１１〜１４の表面のマーク部２１〜２４を洗浄工程において除去されない材質で形成する場合には、製造工程が完了した段階やその後においても、長さが同じ或いは近似するなどして外観が近似するような複数の誘電体共振器１１〜１４について、誘電体共振器１１〜１４の仕様と部品実装基板１への実装位置２〜５との照合をとることが可能となる。
【００３３】
また、上記では、部品実装基板１に誘電体共振器１１〜１４を設けて構成される共振モジュールについて説明したが、例えば、このような共振モジュールを部品として用いてアンテナ共用器などを構成することもできる。
アンテナ共用器は、例えば、携帯型の移動局装置や、車載用の移動局装置や、基地局装置などの種々な無線通信装置に備えられる。一構成例として、アンテナ共用器は、アンテナを介して送信される周波数の信号と、受信される周波数の信号を選択する。
また、他の構成例として、１個のアンテナにより複数の周波数の信号を切り替えて通信（送信や受信）することが可能である。例えば、通信状況に応じて、共振周波数が異なる複数の誘電体共振器の中からいずれかをアンテナと接続するように切り替えることにより、アンテナの共振周波数を切り替えられた誘電体共振器に対応した周波数とする。
【００３４】
ここで、本発明に係る共振モジュールや誘電体共振器やアンテナ共用器などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【図面の簡単な説明】
【００３５】
【図１】本発明の一実施例に係る共振モジュールの構成例を示す図である。
【図２】（ａ）〜（ｅ）に識別印の例を示す図である。
【図３】共振モジュールの構成例を示す図である。
【図４】周波数と減衰量との関係の一例を示す図である。
【符号の説明】
【００３６】
１、３１・・部品実装基板、  ２〜５・・実装位置、  １１〜１４、４１〜４４・・誘電体共振器、  １５〜１８、４５〜４８・・結合ピン、  ２１〜２４・・マーク部、
【図１】
2005341193.tif 000004
【図２】
2005341193.tif 000005
【図３】
2005341193.tif 000006
【図４】
2005341193.tif 000007